【手続補正書】
【提出日】平成18年6月23日(2006.6.23)
【手続補正１】
【補正対象書類名】明細書
【補正対象項目名】０００１
【補正方法】変更
【補正の内容】
【０００１】
【発明の属する技術分野】
本発明は、ＨＰＬＣ用円二色性検出器に関するもので、より具体的には光学異性体の存在率をリアルタイムに測定するための装置の改良に関する。
【手続補正２】
【補正対象書類名】明細書
【補正対象項目名】０００２
【補正方法】変更
【補正の内容】
【０００２】
【発明の背景】
一般に、医薬品に用いる有機化合物は、有機合成によって得られるが、得られた有機化合物中にどれくらい光学異性体が存在するのか等を調べる必要があるので、従来はその化合物を光学分割して測定してきた。
【手続補正３】
【補正対象書類名】明細書
【補正対象項目名】０００６
【補正方法】変更
【補正の内容】
【０００６】
ところで、このような方法で試料中に含まれる光学異性体の存在率を測定するためには、カラムから溶出された試料をフローセル中に導き、リアルタイムで測定していく。すると、セル中の試料の含量が変化していくことになるので、セル中の試料の円二色性とＵＶ吸収力の両方をできるだけ同時に測定していかなくてはならない。
【手続補正４】
【補正対象書類名】明細書
【補正対象項目名】０００７
【補正方法】変更
【補正の内容】
【０００７】
このような技術的要求を満たす測定器として、特開昭５３―１１６８８４号公報に開示された発明が提案されている。この発明は、光源，モノクロメータ，偏光子，変調器，試料槽及び検出器からなる円二色性分散測定用光学系を有する。そして、それぞれ独立の電気系を用意して、切り換えスイッチによって光吸収信号と円二色性分散信号を切り換えながら測定をするものである。
【手続補正５】
【補正対象書類名】明細書
【補正対象項目名】０００８
【補正方法】変更
【補正の内容】
【０００８】
理屈上では、ピークの溶出時間よりも充分高速にスイッチ切替を繰返せば紫外可視光（ＵＶ）の吸収と円二色性の同時測定は可能となるが、現実的には切替時の過渡現象中は信号が正確には測定できないので、ＨＰＬＣの様に（最も早い場合には）数秒でピークが溶出してしまう状況にはとても適用出来ない。
【手続補正６】
【補正対象書類名】明細書
【補正対象項目名】００１２
【補正方法】変更
【補正の内容】
【００１２】
同図に示すように、ｇ−ｆａｃｔｏｒは、試料の左右円偏光に対する吸収強度の差、つまり円二色性信号（ＣＤ信号）を、ＵＶの吸収強度で割り算して求められている。従って、同図中のｔ１〜ｔ２区間に示すように、試料の溶出が少なくＵＶ吸収が極端に少なかった場合、分母が０に近くなるので、ＣＤ信号の変化に対するｇ−ｆａｃｔｏｒの変化量が大きくなる。そして、ＣＤ信号側わずかに＋になった時にはｇ−ｆａｃｔｏｒは大きな正値をとり、逆にＣＤ信号側わずかに−になった時にはｇ−ｆａｃｔｏｒは大きな負値をとる。よって、ＣＤ信号が僅かに±に振れるだけで、その時のｇ−ｆａｃｔｏｒは正負に非常に大きく変化してしまう。
【手続補正７】
【補正対象書類名】明細書
【補正対象項目名】００１４
【補正方法】変更
【補正の内容】
【００１４】
よって測定結果をモニタしながらカラムから溶出された試料を分取しようとした場合、Ｒ−体とＳ−体がはっきり分離される場所では試料を問題無く分取できるものの、両者が完全分離されずにやや混ざり合って溶出されてきてしまう部分がある場合には、この部分の試料の円二色性は異性体同士で相殺されるため、ｇ−ｆａｃｔｏｒはゼロ付近の値を取ることになる。すると、溶出される試料の分離状態をモニタしても、カラムが試料を完全分離がＲ−体もＳ−体も殆どなかった為にｇ−ｆａｃｔｏｒが乱れているのか、不完全分離されたＲ−体、Ｓ−体の円二色性がたまたま相殺されてｇ−ｆａｃｔｏｒが乱れているのかと言うことの違いを、表示されるグラフからでは判断しにくくなるという問題がある。
【手続補正８】
【補正対象書類名】明細書
【補正対象項目名】００１７
【補正方法】変更
【補正の内容】
【００１７】
この発明によれば、同一の光検知手段の出力に基づいて円二色性を示す信号と、試料の総量を示す信号とが算出できるので、それら両信号を同時に取得できる。その結果、光学異性体の存在率を示すｇ−ｆａｃｔｏｒを精度よく求めることができる。
【手続補正９】
【補正対象書類名】明細書
【補正対象項目名】００２０
【補正方法】変更
【補正の内容】
【００２０】
そしてユーザーにとっては、フローセル中に光学異性体が同量含まれている場合と、単にフローセル中に試料がほとんど含まれていない場合の区別が信号処理手段の出力からはっきりする。そして、この違いは、総量検出手段の出力が所定基準の大きさを超えた時にしか信号処理手段から出力がされないことで区別がつく。
【手続補正１０】
【補正対象書類名】明細書
【補正対象項目名】００２１
【補正方法】変更
【補正の内容】
【００２１】
前記光学異性体の存在率を示す出力としては、例えば前記総量検出手段の出力の大きさと前記円二色性検出手段の出力の大きさから求まるように構成することができる。このように構成すると、信号処理手段の出力を、円二色性検出手段の出力の大きさと総量検出手段の出力の大きさの比（割り算処理）で求めることができるので、信号処理手段の出力は光学異性体の存在率の分かりやすい出力となる。もちろん、フローセル中に光学異性体が同量含まれている場合と、単にフローセル中に試料がほとんど含まれていない場合の区別はよりはっきりするようになる。もちろん、これ以外の手法をとることもできる。
【手続補正１１】
【補正対象書類名】明細書
【補正対象項目名】００２５
【補正方法】変更
【補正の内容】
【００２５】
このように構成すると、フローセル中に溶出される溶媒組成比が時間とともに変化し、試料の総量（実施の形態では「ＵＶ信号」）のベースラインが変化したとしても、そのベースラインの位置を検出し、そのベースラインに基づいて真の総量を求めることにより、最終的に求める光学異性体の存在率も上記ベースラインの変動の影響を受けず、真の値を算出することができる。
【手続補正１２】
【補正対象書類名】明細書
【補正対象項目名】００３３
【補正方法】変更
【補正の内容】
【００３３】
そして、上記の光源２から出た光は、レンズＬ１で平行光にされ、偏光子９に照射されるようにしている。偏光子９は、石英のローションプリズムを使用している。この石英のローションプリズムは、透過波長範囲が１６０〜１０００ｎｍと広いが、常光と異常光間の変位角が１°〜２°と小さい。従って、偏光子９を光源２に近い位置において異常光と常光が完全に分離する様に配置する。
【手続補正１３】
【補正対象書類名】明細書
【補正対象項目名】００４５
【補正方法】変更
【補正の内容】
【００４５】
この時、フォトダイオード２９の出力を監視し、円二色性がゼロとなる位置でモータ２２の回転を停止する。この停止したときは、円二色性を持たない試料について検出結果が、「円二色性が無い」であるので、偏光子の初期配置が完了したことになる。
【手続補正１４】
【補正対象書類名】明細書
【補正対象項目名】００５７
【補正方法】変更
【補正の内容】
【００５７】
なお、ＣＰＵ３０では差信号ＶＤＩＦＦを、積分回路３９の出力である直流信号Ｖｄで割り算し、係数を掛ける演算を行いＣＤ信号を算出する。それと同時に、直流信号ＶｄをＣＰＵ３０でＬＯＧ変換してＵＶ吸収信号も算出する。なおこれらの算出結果はインタフェース４４でＤ／Ａ変換され、出力端子４６に出力される。なお、この直流信号Ｖｄは、同期信号の周期（約２０μｓｅｃ）に比べればゆっくりとした変化となり、係る意味で直流信号と称しているが、厳密に時間的に一定ではない。
【手続補正１５】
【補正対象書類名】明細書
【補正対象項目名】００８２
【補正方法】変更
【補正の内容】
【００８２】
同図（ｂ）に示す×．××は点滅中を意味する。この点滅中に、「数値キー」を用いてｇ−ｆａｃｔｏｒの計算を開始するに最適と思われるＵＶ信号を設定する。同図（ｃ）のように、数値キーにて入力が終了したら、再度[ＥＤＩＴ／ＥＮＴＥＲ]キーにて登録する。同図には、一例としてしきい値を０．０８ＡＵとした。
【手続補正１６】
【補正対象書類名】明細書
【補正対象項目名】００８９
【補正方法】変更
【補正の内容】
【００８９】
同図から明らかなように、このように、ＵＶ吸収信号に０．１５ＡＵのしきい値を設け、この値を超えるようなＵＶ吸収信号がＣＰＵ３０に入力された場合のみｇ−ｆａｃｔｏｒを算出するようにすると、測定結果に含まれるノイズが大幅に小さくなるのがわかる。
【手続補正１７】
【補正対象書類名】明細書
【補正対象項目名】００９３
【補正方法】変更
【補正の内容】
【００９３】
つぎに、本発明に係るＨＰＬＣ用円二色性検出器の第２の実施の形態を説明する。本実施の形態は、基本的に第１の実施の形態と同様の構成であり、異なる点は、ｇ−ｆａｃｔｏｒの算出方法である。そして、第１の実施の形態の場合には、その時点の信号だけを処理するために、ＣＰＵ３０としても低速及びまたはメモリー容量も少ないものを用いて実行可能となる。これに対し、本実施の形態では、測定開始から測定終了時までのクロマトグラム全体を記憶し、それらに対してデータ処理をする必要がある。そこで、ＣＰＵ３０として係る演算処理を可能とする高速でメモリー容量も多いものを実装するようにしても良いし、或いは、図８に示したように出力端子４６に外部のデータ処理するためのコンピュータ（パソコンやＨＰＬＣ用のデータ処理装置等）を接続し、そのコンピュータにデータ処理をさせるようにしても良い。
【手続補正１８】
【補正対象書類名】明細書
【補正対象項目名】０１０２
【補正方法】変更
【補正の内容】
【０１０２】
図１３は、ＵＶ吸収信号を波形処理することにより、ピークの開始点・終了点を正確に求め、さらに、その得られた開始点と終了点を結んだ線（ベースラインＢ）からＵＶ吸収信号の高さを求め、この大きさとＣＤ信号の大きさよりｇ−ｆａｃｔｏｒを求めた図である。
【手続補正１９】
【補正対象書類名】明細書
【補正対象項目名】０１１５
【補正方法】変更
【補正の内容】
【０１１５】
さらに、図１８（ａ）〜（ｃ）に示されているように、Ｓ−体が占める割合の
方がＲ−体の割合よりも増えてくると、ＣＤ信号のピークはＲ−体の割合が多か
った時と対称的なピークを示すようになっている。もちろん、全ての測定におい
て、ＵＶ吸収信号のピーク位置及び高さは同じである。
【手続補正２０】
【補正対象書類名】明細書
【補正対象項目名】０１２０
【補正方法】変更
【補正の内容】
【０１２０】
同図に示すように、存在比１／９９の試料のｇ−ｆａｃｔｏｒを測定し、図２０の検量線より求めた存在比は０．９２／９９．０８であった。（図中では、ｇ−ｆａｃｔｏｒ（−）（＋）と書いた列を参照）また、同じ試料を光学分割カラムを使用してＲ−体／Ｓ−体を分離した後、ピーク面積を求めて存在比を求めた結果が１．９８／９８．０２であった。（図中では、ＵＶ−１５７０（−）（＋）と書いた列を参照）
【手続補正２１】
【補正対象書類名】明細書
【補正対象項目名】０１３０
【補正方法】変更
【補正の内容】
【０１３０】
この場合、ベースライン付近でｇ−ｆａｃｔｏｒが大きく変化すると見にくくなり、分取時のモニタとして利用できなくなる。一方、本発明の様にＵＶ吸収信号にしきい値を設け、一定値以上の大きさの信号があった時のみｇ−ｆａｃｔｏｒが表示されるようにすると、正負に大きく揺れることもなく、ｇ−ｆａｃｔｏの利用がし易くなる。
【手続補正２２】
【補正対象書類名】明細書
【補正対象項目名】０１３４
【補正方法】削除
【補正の内容】
【手続補正２３】
【補正対象書類名】明細書
【補正対象項目名】図面の簡単な説明
【補正方法】変更
【補正の内容】
【図面の簡単な説明】
【図１】
従来のＨＰＬＣ用円二色性検出器の出力を示す図である。
【図２】
本発明に係るＨＰＬＣ用円二色性検出器の第１の実施の形態にある光学系部分の構成を示した断面図である。
【図３】
ランプの波長に対する放射特性を示すグラフである。
【図４】
本発明に係るＨＰＬＣ用円二色性検出器の第１の実施の形態の構成を示したアナログ処理系のブロック回路図である。
【図５】
受光部からの信号と、同期信号との関係を示した図である。
【図６】
（ａ）は本発明に係るＨＰＬＣ用円二色性検出器の第１の実施の形態にある受光部に入力される信号から右偏光時のタイミングでＳ／Ｈした信号を示した波形図である。
（ｂ）は本発明に係るＨＰＬＣ用円二色性検出器の第１の実施の形態にある受光部に入力される信号から左偏光時のタイミングでＳ／Ｈした信号を示した波形図である。
【図７】
（ａ）は本発明に係るＨＰＬＣ用円二色性検出器の第１の実施の形態にある受光部に入力される信号からＵＶ吸収時のタイミングでＳ／Ｈした信号を示した波形図である。
（ｂ）は本発明に係るＨＰＬＣ用円二色性検出器の第１の実施の形態にある受光部に入力される信号のうちＣＤ信号を示した波形図である。
【図８】
本発明に係るＨＰＬＣ用円二色性検出器の第１の実施の形態で行われる信号の処理過程を説明するためのブロック回路図である。
【図９】
ｇ−ｆａｃｔｏｒを処理するためのフローチャートである。
【図１０】
（ａ）は、初期設定画面の一例を示す図（その１）である。
（ｂ）は、初期設定画面の一例を示す図（その２）である。
（ｃ）は、初期設定画面の一例を示す図（その３）である。
【図１１】
本発明に係るＨＰＬＣ用円二色性検出器の第１の実施の形態からの出力を示す図である。
【図１２】
ＵＶ信号のベースラインが変化した場合における補正前のｇ−ｆａｃｔｏｒを示す図である。
【図１３】
ＵＶ信号のベースラインが変化した場合における補正後のｇ−ｆａｃｔｏｒを示す図である。
【図１４】
ＵＶ信号のベースラインを求めるためピークスタートとピークエンドを検出するアルゴリズムを説明する図である。
【図１５】
ＵＶ信号のベースラインが変化した場合における補正後のｇ−ｆａｃｔｏｒの算出アルゴリズムを説明する図である。
【図１６】
本発明に係るＨＰＬＣ用円二色性検出器の第２の実施の形態が測定する試料の測定条件を示した図である。
【図１７】
（ａ）はＲ−体，Ｓ−体の存在比が１００／０の時のＣＤ信号とＵＶ信号を示す図である。
（ｂ）はＲ−体，Ｓ−体の存在比が８０／２０の時のＣＤ信号とＵＶ信号を示す図である。
（ｃ）はＲ−体，Ｓ−体の存在比が６０／４０の時のＣＤ信号とＵＶ信号を示す図である。
（ｄ）はＲ−体，Ｓ−体の存在比が５０／５０の時のＣＤ信号とＵＶ信号を示す図である。
【図１８】
（ａ）はＲ−体，Ｓ−体の存在比が４０／６０の時のＣＤ信号とＵＶ信号を示す図である。
（ｂ）はＲ−体，Ｓ−体の存在比が２０／８０の時のＣＤ信号とＵＶ信号を示す図である。
（ｃ）はＲ−体，Ｓ−体の存在比が０／１００の時のＣＤ信号とＵＶ信号を示す図である。
【図１９】
図１７，図１８に示す各存在比におけるピークトップ付近を拡大してｇ−ｆａｃｔｏｒを並びて示した図である。
【図２０】
本発明に係るＨＰＬＣ用円二色性検出器の第２の実施の形態の出力に適用する検量線である。
【図２１】
存在比が未知の試料に対し、本発明と従来方法でそれぞれ存在比を求めた実験結果である。
【図２２】
光学分離カラムが溶出する試料のクロマトグラムである。
【図２３】
非光学分離カラムが溶出する試料のクロマトグラムである。
【図２４】
本発明に係るＨＰＬＣ用円二色性検出器の第２の実施の形態が非光学分離カラムが溶出する試料を分析したときの出力を示す図である。
【図２５】
本発明に係るＨＰＬＣ用円二色性検出器の第２の実施の形態が光学分離カラムが溶出する試料を分析したときの出力を示す図である。
【符号の説明】
２  光源
６  ＵＶ・ＣＤ検出装置（光検知部，信号処理手段，総量検出手段，円二色性検出手段）
２６  ＰＥＭ（変調手段）
２９  フォトダイオード（光検知部）
３０  ＣＰＵ（信号処理手段）
３８  第１サンプルホルド回路（総量検出手段）
３９  積分回路（総量検出手段）
４１  第２サンプルホルド回路（円二色性検出手段）
４２  第３サンプルホルド回路（円二色性検出手段）
４３  第２差動アンプ（円二色性検出手段）
４７  信号処理回路系（総量検出手段，円二色性検出手段）
５１  パーソナルコンピュータ（信号処理手段）
【手続補正２４】
【補正対象書類名】図面
【補正対象項目名】図５
【補正方法】変更
【補正の内容】
【図５】
2001013064.tif 000001
【手続補正２５】
【補正対象書類名】図面
【補正対象項目名】図１８
【補正方法】変更
【補正の内容】
【図１８】
2001013064.tif 000002